(57)【特許請求の範囲】
【請求項１】
伸縮性を有する網目筒状のネット本体の一端が開口して入口部を形成し、この入口部の開口が弾性部を介して拡縮自在に構成されているとともに、ネット本体の他端が縁かがり縫いによって偏平に綴じ合わされて底部を形成し、この底部の綴じ部が、弾性部を介して綴じ方向に拡縮自在に構成され、前記ネット本体の伸縮量と、綴じ側の弾性部の伸縮量と、縁かがり縫いの伸縮量とが、ネット本体の伸縮量≧縁かがり縫いの伸縮量≧綴じ側の弾性部の伸縮量の関係に構成されているゴミ回収用ネット。
【請求項２】
前記入口部及び底部に設けた弾性部が、ネット本体の一端部及び他端部に弾性糸を挿入編みして構成されている請求項１記載のゴミ回収用ネット。
【発明の詳細な説明】
【０００１】
【発明の属する技術分野】
本発明は、流しなどで生じる生ゴミ等を水抜き状態で回収するのに用いるゴミ回収用ネットに関する。
【０００２】
【従来の技術】
一般に、流しなどにあっては、食器洗い槽上に配置されたゴミかごで生ゴミの回収が行われたり、食器洗い槽の排水口に生ゴミ処理槽が付属されている場合、その槽内に配備された槽内ゴミかごによって生ゴミの回収が行われたり、利用者によっては両者のゴミかごを併用して生ゴミの回収が行われたりしている。
【０００３】
このようなゴミかごは、かご自体の網目に細かな生ゴミが絡み付いて目詰まりを生じやすいので、衛生を保ためにもゴミかごの清掃に心がけなければならないが、日常的に清掃作業を行う必要があり面倒な一面がある。
【０００４】
このような事情を背景に、生ゴミ回収用の袋体に生ゴミを回収して、生ゴミを袋ごと廃棄することによって、生ゴミの回収の容易化とゴミかごの目詰まり防止化を可能にして、ゴミかごの清掃等の作業を低減化することができるものが種々考えられている。
【０００５】
そのような中でも、伸縮自在な網目筒状のネット本体部の一端が開口して入口部を形成し、他端が一纏まりの結束状態に綴じられた状態で縫着又は結着して底部を形成するゴミ回収用ネットが存在している。
この従来のゴミ回収用ネットは、ゴミかご内にネット本体部を収納する状態で、かごの上部開口部に入口部の周縁を外側にめくって巻付けて装着状態にすることで、生ゴミの回収が行えるようにしたものである。
【０００６】
【発明が解決しようとする課題】
しかし、この種のゴミ回収用ネットは、伸縮性のある筒状ネットを素材に用いているので、底部をそのまま縫製した場合、縫い結合が崩壊し易い問題があり、現状においては、一纏まりの結束状態に綴じた底部を縫製することによって、縫い結合の崩壊し易さを軽減する手法構成が取られている。
そのため、この種のゴミ回収用ネットは、底部が一纏まりの結束状態で綴じられているので、結束に用いられることになるネット本体の長さ分が、ゴミ回収空間を形成しない構造のものとなっている。
このことを製作面から考察してみると、結束して収納体積が小さくなる分を見越した長さの筒状ネット体を製品素材に用いらなければならないので、大量生産の場合では、その綴じに取られる長さの長短によって、製品数が異なることになる。そのため、生産投入されるネット本体の長さを短くしたい願望がある。
【０００７】
【発明が解決しようとする課題】
本発明は、上述の実状に鑑みて為されたものであって、その主たる課題は、網目筒状のネット本体内を回収空間に有効に利用することができるとともに、最短の長さで最良の回収空間を形成することができるゴミ回収用ネットを提供する点にある。
【０００８】
【課題を解決するための手段】
本発明では、伸縮性を有する網目筒状のネット本体の一端が開口する入口部を形成し、この入口部の開口が弾性部を介して拡縮自在に構成されているとともに、ネット本体の他端が偏平に綴じ合わされて底部を形成し、この底部の綴じ部が、弾性部を介して綴じ方向に拡縮自在に構成されていてもよい。
【０００９】
上記構成によれば、例えば、ゴミかご内にネット本体の底部を収容した状態で、ゴミかごの上部開口に、ネット本体の入口部を弾性収縮力に抗して拡径して該入口部の周縁を外側にめくって巻付けることによって装着することができ、この状態で入口部から生ゴミを放り込んでゆくと、ネット本体が延びるとともに、底部の綴じ部が弾性部の収縮側の弾性力に抗して延びることになるので、ネット本体内の回収空間を有効に利用することができる。ここで、底部の綴じ部に弾性部を設けずに縫製した場合、生ゴミが多く入ってくると、両者の縫い結合が崩壊し易く、製品の信頼性に欠ける傾向がある。また、縫製には、伸縮性のある二重環縫いなどの縫い形態が用いられることになるが、これとはタイプが異なり伸縮性がない本縫いを用いた場合、伸縮性のあるネット本体との縫製組合せは悪く、両者の縫い結合が崩壊し易い。
【００１０】
また、このような構成のゴミ回収用ネットであれば、底部は簡単な綴じ方でなお且つ縫製手間がかからない綴じ方でもあるので、縫製するのに熟練を要することがないため、生産性がよい。
【００１１】
本発明では、前記底部の綴じ部が、縁かがり縫いによって綴じ合わされていてもよい。
【００１２】
上記構成によれば、縁かがり縫い自体が伸縮性のある二重環縫い形態であり、ネット本体自体の伸縮、及び、弾性部の伸縮に十分に追従することができるので、伸縮範囲内で回収空間を有効利用することが可能である。ここで、縁かがり縫いは、オーバーロックミシン等の二重環縫いミシンによって縫製が可能であり、一般的な普通ミシンで採用されているような延び縮みが無い本縫いと違って、縫い目自体が伸縮自在な縫い形態である。
【００１３】
本発明では、前記入口部及び底部に設けた弾性部が、ネット本体の一端部及び他端部に弾性糸を挿入編みして構成されていてもよい。
【００１４】
上記構成によれば、ネット本体に一体連続するように弾性部が形成されているので、例えば、ネット本体がストッキング編みされた素材のような薄手で生地に腰がないような場合であっても、腰が形成されるので縫製を実施する際の取扱い性がよく、生産性がよい。
【００１５】
本発明では、前記ネット本体の伸縮量と、弾性部の伸縮量と、縁かがり縫いの伸縮量とが、ネット本体の伸縮量≧縁かがり縫いの伸縮量≧弾性部の伸縮量の関係になっていてもよい。
【００１６】
上記構成によれば、弾性部の伸縮範囲内で、綴じ部分のネット本体部分と縁かがり縫いとが伸縮可能となるので、縁かがり縫いの延びが限界に至る前に弾性部によって伸ばされるのが阻止されるため、綴じ部の縫い結合が崩壊することなく、信頼性の高いゴミ回収用ネットを形成することができる。
そして、本発明の請求項１によるゴミ回収用ネットの特徴構成は、伸縮性を有する網目筒状のネット本体の一端が開口して入口部を形成し、この入口部の開口が弾性部を介して拡縮自在に構成されているとともに、ネット本体の他端が縁かがり縫いによって偏平に綴じ合わされて底部を形成し、この底部の綴じ部が、弾性部を介して綴じ方向に拡縮自在に構成され、前記ネット本体の伸縮量と、綴じ側の弾性部の伸縮量と、縁かがり縫いの伸縮量とが、ネット本体の伸縮量≧縁かがり縫いの伸縮量≧綴じ側の弾性部の伸縮量の関係に構成されている点にある。
本発明の請求項２によるゴミ回収用ネットの特徴構成は、前記入口部及び底部に設けた弾性部が、ネット本体の一端部及び他端部に弾性糸を挿入編みして構成されている点にある。
【００１７】
【発明の実施の形態】
〔実施形態〕
以下、本発明の実施形態のゴミ回収用ネットＡを図面に基づいて説明する。
このゴミ回収用ネットＡは、例えば、図２に示すように、流しの食器洗い槽１０の平面部に配置されたゴミかごＧ１や、食器洗い槽１０の排水口１１に生ゴミ処理槽１２が付属されている場合、その槽内１２に配備された槽内ゴミかごＧ２に装着して用いられるものである。
【００１８】
ゴミ回収用ネットＡは、図１に示すように、伸縮性を有する網目筒状のネット本体１の一端が開口して入口部１Ａを形成し、この入口部１Ａの開口が弾性部２を介して拡縮自在に構成されているとともに、ネット本体１の他端が偏平に綴じ合わされて底部１Ｂを形成し、この底部１Ｂの綴じ部１Ｃが、弾性部３を介して綴じ方向に拡縮自在に構成されている。
【００１９】
ゴミ回収用ネットＡの大きさの一例を示せば、偏平状態にして計測した場合、入口幅が約１３０ｍｍ程度（縮径状態の開口径が約８５ｍｍ程度、最大拡径状態の開口径が約２００ｍｍ程度）、ネット本体１の幅が約１５０ｍｍ程度、底部１Ｂの綴じ部１Ｃの縁かがり縫い幅が約８０ｍｍ程度、全体長さが約２４０ｍｍ程度で、一般の家庭で使用される流し用のゴミかごＧ１や、流し排水口に装備されている槽内ゴミかごＧ２に装着が可能に設定されている。
【００２０】
前記筒状ネット１は、合成樹脂などのフィラメント（長繊維）糸をパンティストッキング編みによって筒状体に形成され、底部１Ｂは、縁かがり縫い４によって縫着されている。
【００２１】
前記入口部１Ａ、及び、底部１Ｂの弾性部２，３は、ネット本体１の一端と他端とに弾性糸（ＦＴＹ等）５を挿入編みによって編成して形成され、拡径方向の引張りに対して収縮方向の弾性付勢力を生じるものである。
【００２２】
以上のように構成されたゴミ回収用ネットＡは、図２（イ）、（ロ）に示すように、ゴミかごＧ１や槽内ゴミかごＧ２に対して、かご内にネット本体１を収納する状態で、かごの上部開口部に入口部の周縁を外側にめくって巻付けることによって装着することができる。
【００２３】
この実施形態のゴミ回収用ネットＡは、ネット本体１の伸縮量と、綴じ側弾性部３の伸縮量と、縁かがり縫い４の伸縮量とが、ネット本体１の伸縮量≧縁かがり縫い４の伸縮量≧綴じ側の弾性部３の伸縮量の関係になっている。
また、弾性部３の伸縮量は、例えば、弾性糸の挿入編みの密度をかえることによって可能であり、その弾性収縮力の強弱によってゴミの収容形態が変化する。。
【００２４】
すなわち、綴じ側の弾性部３の伸縮量が少の場合、収容空間に生ゴミ等の被収容物を収納した状態では、図４（イ）に示すように、底部側の延びが押さえられて、上下の延びが少ない収容状態を形成するゴミ回収用ネットＡを製作することができる。
【００２５】
また、綴じ側の弾性部３の伸縮量が中の場合、収納空間に生ゴミ等の被収容物を回収した状態では、図４（ロ）に示すように、底部側の延びによって、同図  （イ）よりも上下に延びるゴミ回収用ネットＡを製作することができる。
【００２６】
さらに、綴じ側の弾性部３の伸縮量が大の場合、収納空間に生ゴミ等の被収容物を回収した状態では、図４（ハ）に示すように、底部側の延びによって、同図（ロ）よりもさらに上下に延びるゴミ回収用ネットＡを製作することができる。
【００２７】
そのため、図２（イ）に示すような一般的なゴミかごＧ１では、図４（イ）に示すように、綴じ側の弾性部３の伸縮量が小さく、底部での収容体積が大きい回収形態のゴミ回収用ネットＡを用いるのがよく、この場合、ゴミかごＧ１の回収空間とゴミ回収用ネットＡの回収空間とが形態的にほぼ対応するため、ゴミ回収状態の形状をあまり変えること無く、ゴミかごＧ１から抵抗なく取出すことができる。
【００２８】
また、図２（ロ）に示すような槽内ゴミかごＧ２では、図４（ハ）に示すように、綴じ側の弾性部３の伸縮量が大きく、上下に生ゴミが収納されて行く回収形態のゴミ回収用ネットＡを用いるのがよく、この場合、ゴミかごＧ１の回収空間とゴミ回収用ネットＡの回収空間とが形態的に対応するため、ゴミ収納状態の形状をあまり変えること無く、ゴミかごＧ２から抵抗なく取出すことができる。
【００２９】
さらに、図４（ロ）に示すような綴じ側の弾性部３の伸縮量が中くらいに設定されたゴミ回収用ネットＡの場合、一般的なゴミかごＧ１、及び、槽内ゴミかごＧ２の回収空間とゴミ回収用ネットＡの回収空間とが形態的に双方にほぼ対応しているので、かご形態に関係なく利用することができる。
【００３０】
従って、ゴミかごのタイプに合わせて種々のゴミ回収用ネットＡを市場に提供することが可能である。
ここで、上記図面上、ネット本体１の伸縮量、縁かがり縫い４の伸縮量、入口側の弾性部２の伸縮量などの大小によって形態が異なってくるが、何れにしても、先の条件下で記載された傾向を示す。
【００３１】
上記構成のゴミ回収用ネットＡの製造法を説明する。
まず、図３（イ）に示すように、網目筒状にパンティストッキング編みされた長尺編み体Ｂの長手方向で等間隔位置の環状編み地部分に、同図（ロ）に示すように、所定幅に亘って弾性糸５を挿入編みで短筒状の粗弾性部Ｃを編成する。
【００３２】
次に、図３（ハ）に示すように、ネット本体１となる筒状ネット部分を前後中央部にして、その前後部分に形成されてある粗弾性部Ｃ，Ｃの幅中央部分を輪切り切断する。
【００３３】
次に、図３（ニ）に示すように、長尺編み体Ｂから切出されたネット本体１の底部１Ｂ開口を偏平に綴じ合わせた状態で、オーバーロックミシン（図示せず）によって底部１Ｂの綴じ部１Ｃを縁かがり縫い４がなされて、同図（ホ）に示すようなゴミ回収用ネットＡが形成される。
【００３４】
〔その他の実施形態〕
（１）  上記実施形態では、ネット本体１が、合成樹脂などのフィラメント糸をパンティストッキング編みによって形成されたものについて説明したが、本発明はこれに限らず、例えば、伸縮性のある不織布によって構成されてあるものであっても、玉ねぎやみかんなどの包装袋の素材に用いられている樹脂溶着編み体によって構成されていてもよい。
【００３５】
（２）  ゴミ回収用ネットＡの入口部１Ａに短寸の、帯体、紐体、それら素材によるループ体などを、入口部１Ａの外側に張出すように設けて摘みを形成し、ゴミかごに装着されているゴミ回収用ネットＡの入口部１Ａを指で摘み上げて、ゴミかごから外し易くした構成のものであってもよい。
【００３６】
（３）  上記実施形態では、ネット本体１の網目の大きさにつては言及しなかったが、網目の大きさの異なるネット素材を用いてもよい。
また、例えば、観賞植物等に被せるように鉢ごと装着して、鳥や虫から保護するような、生ゴミ回収用以外の用途に用いることも可能である。
【００３７】
（４）  上記実施形態では、底部１Ｂの綴じ部１Ｃが縁かがり縫い４によって綴じられる例を説明したが、これに限らず、普通の二重環縫いミシンで二重環縫いによって、底部１Ｂの綴じ部１Ｃが綴じられる構成であってもよい。
【図面の簡単な説明】
【図１】本発明の実施形態のゴミ回収用ネットを示す斜視図
【図２】ゴミ回収用ネットの使用例を示す斜視図
（イ）には、一般のゴミかごに使用した斜視図
（ロ）には、槽内ゴミかごに使用した斜視図
【図３】本発明のゴミ回収用ネットの製法をその順番に示す説明図
【図４】ゴミ回収用ネットの変形例を示す正面図
（イ）、（ロ）、（ハ）は、綴じ側の弾性部の伸縮量を夫々変えた状態を示す正面図
【符号の説明】
Ａ      ゴミ回収用ネット
１      ネット本体
１Ａ    入口部
１Ｂ    底部
１Ｃ    綴じ部
２      弾性部
３      弾性部
４      縁かがり縫い
５      弾性糸
【図１】
0004530550.tif 000002
【図２】
0004530550.tif 000003
【図３】
0004530550.tif 000004
【図４】
0004530550.tif 000005